(57)【特許請求の範囲】
【請求項１】
無線周波数入力端子（１）と複数の無線周波数チューナ（２２−３２）との間を接続する入力インタフェース装置であって、
広帯域無線周波数信号を受信する少なくとも１つの入力端子と、複数の出力チャネル（４２）と、その出力チャネル（４２）の各々に前記広帯域無線周波数信号を供給する少なくとも１つの能動電力分割回路（４１，４１ａ，４１ｂ）とを有する広帯域能動マルチパス電力分割器を備え、
前記能動電力分割回路（４１，４１ａ，４１ｂ）は、非リアクティブ電力分割回路であり、
前記出力チャネル（４２）の少なくとも１つは、シングルエンド出力端子を有する自動利得制御回路（４３）を備え、
前記シングルエンド出力端子は、差動出力バッファ（４５）の入力端子に接続され、
その差動出力バッファ（４５）は、前記出力チャネル（４２）の出力端子を形成する差動出力端子（１７）を有することを特徴とする入力インタフェース装置。
【請求項２】
前記差動出力端子（１７）の各々が、前記広帯域無線周波数信号と実質的に同じ特性を有する信号を供給するように配置されることを特徴とする請求項１に記載の入力インタフェース装置。
【請求項３】
前記特性がインピーダンスを含むことを特徴とする請求項２に記載の入力インタフェース装置。
【請求項４】
前記特性が、周波数に関する信号レベルの分布形態を含むことを特徴とする請求項２または請求項３に記載の入力インタフェース装置。
【請求項５】
前記広帯域無線周波数信号を前記能動電力分割器の入力端子に供給する増幅器（４０，４０ａ，４０ｂ）を備えることを特徴とする請求項１から請求項４のいずれかに記載の入力インタフェース装置。
【請求項６】
前記少なくとも１つの入力端子が、複数の入力端子から成り、前記少なくとも１つの能動電力分割回路が、複数の能動電力分割回路（４１ａ，４１ｂ）から成り、
前記少なくとも１つの出力チャネル（４２）が、任意の選択された１つの能動電力分割回路（４１ａ，４１ｂ）の出力端子を前記自動利得制御回路（４３）の入力端子に接続するマルチプレクサ（４６）を備えることを特徴とする請求項１から請求項５のいずれかに記載の入力インタフェース装置。
【請求項７】
前記自動利得制御回路（４３）の利得が、実質的に零に制御可能であることを特徴とする請求項１から請求項６のいずれかに記載の入力インタフェース装置。
【請求項８】
単一モノリシック集積回路として形成されることを特徴とする請求項１から請求項７のいずれかに記載の入力インタフェース装置。
【請求項９】
請求項１から請求項８のいずれかに記載の入力インタフェース装置と、前記差動出力端子（１７）に接続された少なくとも１つのチューナ（２２−３２）との複合装置。
【請求項１０】
前記チューナ（２２−３２）が、前記差動出力端子（１７）に接続される差動入力端子を有することを特徴とする請求項９に記載の複合装置。
【請求項１１】
前記チューナ（２２−３２）が、前記差動入力端子に接続される平衡入力端子を有する混合器（２３）を備えることを特徴とする請求項１０に記載の複合装置。
【請求項１２】
前記混合器（２３）が、二重平衡変調器であることを特徴とする請求項１１に記載の複合装置。
【請求項１３】
前記入力インタフェース装置と前記チューナが、共通の筐体の中に配置されることを特徴とする請求項９から請求項１２のいずれかに記載の複合装置。
【発明の詳細な説明】
【０００１】
【発明の属する技術分野】
本発明は、無線周波数入力端子と複数の無線周波数チューナとの間を接続する入力インタフェース装置に関する。そのような入力インタフェース装置は、例えば、デジタルケーブル配線システムに接続するための「フロントエンド」として使用でき、また、１つの「セットトップボックス」に設けられてもよい。また、本発明は、１つのセットトップボックスを形成できる、そのような入力インタフェース装置と少なくとも１つのチューナとの複合装置に関する。
【０００２】
【従来の技術】
図１は、一般的に既知の種類のセットトップボックスフロントエンドの構成を示す。そのフロントエンド２は、システムオペレータとシステム受信契約者との間の双方向通信を可能にする双方向ケーブル供給部１に接続される。フロントエンド２は、「ブリキ缶」内に形成される。その「ブリキ缶」は、内部の構成要素の電磁遮蔽を可能にするファラデイ箱として作用する。以下で詳細に述べるように、フロントエンド、すなわちインタフェース装置は、ダイプレクサを備え、電力分割（パワースプリット）機能および戻りチャネル増幅器機能を実行する。そのインタフェース装置２は、入力部３および出力部４を備える。入力部３は、ケーブル供給部を介してケーブル配線網に伝送されるアップストリームデータを受信する。出力部４は、例えば、ビデオリモジュレータ（図示されない）にデータを供給する。そのビデオリモジュレータにおいて、入力されたデータは、セットトップボックス内の復調器からのチャネル出力と多重化される。
【０００３】
インタフェース装置２は、データチューナ５、データチューナ６およびメインチャネルチューナ７等の各々のチューナの入力部に接続される複数（この例では３つ）の出力部を備える。それぞれのチューナは、遮蔽の目的で「ブリキ缶」内に形成される。チューナ５、チューナ６およびチューナ７は、選択されたチャネルを規格の中間周波数に変換し、これらを各々の復調器（図示されない）に供給する。
【０００４】
図１のインタフェース装置２は、図２に、より詳細に示される。インタフェース装置２は、アンテナ入力端子１０を備える。そのアンテナ入力端子１０は、入力端子ｃと出力端子ｂとを有するダイプレクサ１１の入力／出力端子ａに接続される。入力端子ｃは、電力増幅器（ＰＡＭＰ）１２の出力端子に接続される。その電力増幅器１２は、自動利得制御（ＡＧＣ）の制御信号を受信する利得制御入力端子１３を有する。電力増幅器１２は、例えば、外部発振器によって生成されるアップストリームデータを受信する入力端子１４を有する。ダイプレクサ１１の出力端子ｂは、低雑音増幅器（ＬＮＡ）１５を経由して、電力分割器（パワースプリッタ）１６に接続される。電力分割器１６は、それぞれのチューナに接続するための複数の出力端子１７を有する。電力分割器１６は、複数の出力端子１７に信号パワーを分配するために、変成器または平衡不平衡変成器等の磁気結合電力分割器の配列を備える。
【０００５】
ダイプレクサ１１の目的は、データストリーム間のクロストークを最小にして、ケーブル供給部においてダウンストリームデータとアップストリームデータとを多重化することである。従って、ダイプレクサ１１は、端子ｂと端子ｃとの間の比較的高い程度の絶縁以外に、端子ａから端子ｂまで、および、端子ｃから端子ａまでの挿入損または減衰を最小にする必要がある。一般的な例において、アップストリームデータの帯域は、５ＭＨｚから５５ＭＨｚまでであってよく、ダウンストリームデータの帯域は、６５ＭＨｚから８６０ＭＨｚまでであってよい。ダイプレクサ１１は、一般的に、端子ａから端子ｂまでで６５ＭＨｚから８６０ＭＨｚまでの通過帯域を有し、５５ＭＨｚ未満の帯域で１ｄＢ未満の挿入損および６０ｄＢの減衰がある。また、ダイプレクサ１１は、端子ｃから端子ａまでで５ＭＨｚから５５ＭＨｚまでの通過帯域を有し、６５ＭＨｚを越える帯域で１ｄＢ以下の挿入損および６０ｄＢの減衰がある。
【０００６】
図３は、図１に示されるチューナ５からチューナ７までのいずれかまたは全てを形成しうる一般的に既知の二重変換チューナ（ｄｏｕｂｌｅ ｃｏｎｖｅｒｓｉｏｎ ｔｕｎｅｒ）を示す。このチューナは、自動利得制御（ＡＧＣ）回路２１に接続されるアンテナ入力端子２０を有する。自動利得制御（ＡＧＣ）回路２１は、チューナの信号対相互変調＋雑音比性能を最大にするために、第１の周波数変換器２２に供給される信号のレベルを制御する。第１の周波数変換器２２は、混合器（ミキサ）２３と、位相同期ループ（ＰＬＬ）合成器２５によって制御される局部発振器（ＬＯ）２４とを備える。位相同期ループ（ＰＬＬ）合成器２５は、例えば、Ｉ２Ｃバスマイクロコントローラ（図示されない）によって制御される。周波数変換器２２は、入力される広帯域信号を高い中間周波数（ＩＦ）（以下、「高中間周波数」という。）にブロックアップ変換（ｂｌｏｃｋ ｕｐ−ｃｏｎｖｅｒｓｉｏｎ）し、選択されたまたは所望の受信チャネルを、実質的に、高中間周波数に集中させる。周波数変換器２２の出力は、定められた中心周波数および通過帯域特性を有する高中間周波数フィルタ２６に供給される。フィルタ２６は、一般的に、少数の個々のチャネルを通し、その他のチャネルを、実質的に拒否する。
【０００７】
フィルタ２６の出力は、第２の周波数変換器２７に供給される。第２の周波数変換器２７は、第１の周波数変換器２２に類似し、混合器２８、局部発振器２９および位相同期ループ合成器３０から成る。第２の周波数変換器２７は、所望のチャネルが、実質的に、一般的に４４ＭＨｚである第２のＩＦに集中するように、ブロックダウン変換（ｂｌｏｃｋ ｄｏｗｎ−ｃｏｎｖｅｒｓｉｏｎ）を実行する。周波数変換器２７の出力は、ＩＦフィルタ３１に供給される。ＩＦフィルタ３１は、一般的に、単一チャネル帯域を有し、受信信号の変調規格によって定められる鮮鋭な通過帯域特性を有してもよい。フィルタ３１は、実質的に、所望のチャネル以外の全てのチャネルを除去する。フィルタ３１の出力は、増幅器３２によって増幅された後、復調器（図示されない）に接続するためにＩＦ出力端子３３に供給される。その復調器は、アナログ式のものであっても、デジタル式のものであってもよい。
【０００８】
この既知の種類の構造は、種々の欠点をもつ。例えば、電磁電力分割器１６は、設計が困難であり、電磁的な部品の使用は、結果として、個々の部品間の絶縁レベルを所望のレベルよりも低くする。これは、出力端子１７間の絶縁を減少させることにつながる。また、電磁部品は比較的体積が大きく、この構成は、部品の費用のために比較的高価になり、製造中に調整が必要である。さらに、電磁部品は、自然に反応するので、フラットでない通過帯域をもつ。
【０００９】
米国特許第５１６８２４２号は、伝送線技術に依存したある種類の能動広帯域電力分割器を開示する。伝送線技術は、入力信号からそれぞれに位相シフトされた複数のシングルエンド出力信号を提供する。伝送線は、伝送線をまねたリアクティブ素子、特に、直列接続された誘導子と分路コンデンサとを使用し、それらの素子は、複数のチャネルの各々において複数の電解効果トランジスタ（ＦＥＴ）のゲート線およびドレイン線として接続される。複数のチャネルは、入力信号を受信する１つのチャネルに縦続に接続される。隣接するチャネルは、伝送線間の容量性の連結部を経由して相互接続される。
【００１０】
米国特許第５０７２１９９号は、別の種類の能動広帯域電力分割器を開示する。その電力分割器においては、単一利得広帯域フィードバック増幅器が、複数の能動マッチング回路への入力信号をバッファする。複数の能動マッチング回路は、それぞれ、シングルエンド出力を有する。その増幅器は、能動ドレイン負荷およびフィードバックを有するコモンソースＦＥＴと、誘導子を含むマッチング部品とを備える。各々のマッチング回路は、能動負荷を有するソースフォロアを備える。
【００１１】
米国特許第５０４５８２２号は、更なる別の種類の能動広帯域電力分割器を開示する。その電力分割器においては、コモンソースＦＥＴが、シングルエンド出力を形成するドレインと、共にリアクティブ網による入力に接続されるゲートとを有する。各々のＦＥＴは、直列に接続された抵抗器および誘導子によって提供された分路フィードバックを有する。出力間のクロストークは、抵抗器および誘導子を介したクロス結合によって減じられる。
【００１２】
米国特許第４６６８９２０号は、伝送線および分配増幅器（ｄｉｓｔｒｉｂｕｔｅｄ ａｍｐｌｉｆｉｅｒ）技術に基づく別の能動マトリクス広帯域電力分割器を開示する。ＦＥＴの集合は、誘導子によって形成される共通入力伝送線のタッピング（ｔａｐｐｉｎｇ）部分に接続されるゲート、および、誘導子によって形成される個々の出力伝送線のタッピング部分に接続されるドレインを有する。
【００１３】
米国特許第４３７８５３７号は、能動広帯域電力分割器を開示する。その電力分割器においては、縦続エミッタフォロアを備える入力バッファが、シングルエンド出力を提供する複数の能動抵抗器−コンデンサ結合網を供給する。
【００１４】
米国特許第３８３２６４７号は、縦続接続されたコモンベーストランジスタを備える単一の配線網を開示する。各々のトランジスタのコレクタは、その二次的な巻線が各々の出力に接続される変成器の主用巻線を経由して次の段に接続される。
【００１５】
【発明が解決しようとする課題】
これら既知の電力分割器の構成には、種々の欠点がある。例えば、その構成の多くは、誘導子等のリアクティブ素子に依存して、上述の欠点をもつ電力分割を実行する。受動構成は、それらの出力間の絶縁が不足する。
【００１６】
本発明の目的は、電磁部品を使用せずに、小型で、出力端子間の絶縁レベルがかなり高い、無線周波数入力端子と複数の無線周波数チューナとの間を接続する入力インタフェース装置を提供することである。
【００１７】
【課題を解決するための手段】
本発明の第１の態様によると、無線周波数入力端子と複数の無線周波数チューナとの間を接続する入力インタフェース装置が提供される。その入力インタフェース装置は、広帯域無線周波数信号を受信する少なくとも１つの入力端子と、複数の出力チャネルと、その出力チャネルの各々に広帯域無線周波数信号を供給する少なくとも１つの能動電力分割回路とを有する広帯域能動マルチパス電力分割器を備える。その能動電力分割回路は、非リアクティブ電力分割回路である。前記の出力チャネルの少なくとも１つは、シングルエンド出力端子を有する自動利得制御回路を備え、そのシングルエンド出力端子は、差動出力バッファの入力端子に接続される。その差動出力バッファは、出力チャネルの出力端子を形成する差動出力端子を有する。
【００１８】
本明細書中で使用される「広帯域」という言葉は、複数のチャネル幅を備え、かつ、その中から受信用の所望のチャネルが選択できる複数のチャネルを含む、１つの比較的大きな周波数レンジを意味する。本明細書中で使用される「能動（アクティブ）」という言葉は、トランジスタ等の電力利得を有する能動素子を少なくとも１つ備えていることを意味する。本明細書中で使用される「非リアクティブ」という言葉は、リアクティブ素子に依存せずに電力分割を実行する構成を意味する。本明細書中で使用される「バッファ」という言葉は、入力端子と出力端子との間の高いレベルの電気的絶縁を提供し、利得および／またはインピーダンス変換を提供できる素子または構成を意味する。
【００１９】
前記の差動出力端子の各々は、好ましくは、前記の広帯域無線周波数信号と実質的に同じ特性を有する信号を供給するように配置される。好ましくは、その特性は、インピーダンスを含む。好ましくは、その特性は、周波数に関する信号レベルの分布形態、および、それに類似するものを含む。
【００２０】
前記の入力インタフェース装置は、好ましくは、前記の広帯域能動マルチパス電力分割器の入力端子に前記の広帯域無線周波数信号を供給する増幅器を備える。
【００２１】
前記の入力インタフェース装置において、前記の少なくとも１つの入力端子は、好ましくは、複数の入力端子から成る。前記の少なくとも１つの能動電力分割回路は、好ましくは、複数の能動電力分割回路から成る。前記の少なくとも１つの出力チャネルは、好ましくは、任意の選択された１つの能動電力分割回路の出力端子を前記の自動利得制御回路の入力端子に接続するマルチプレクサを備える。
【００２２】
好ましくは、前記の自動利得制御回路の利得は、実質的に零に制御可能である。好ましくは、前記の入力インタフェース装置は、単一モノリシック集積回路として形成される。
【００２３】
本発明の第２の態様によると、本発明の第１の態様による入力インタフェース装置と、前記の差動出力端子に接続された少なくとも１つのチューナとの複合装置が提供される。
【００２４】
好ましくは、前記のチューナは、前記の入力インタフェース装置の差動出力端子に接続される差動入力端子を有する。好ましくは、前記のチューナは、前記の差動入力端子に接続される平衡入力端子を有する混合器を備える。好ましくは、前記の混合器は、二重平衡変調器（ｄｏｕｂｌｅ−ｂａｌａｎｃｅｄ ｍｉｘｉｅｒ）である。
【００２５】
好ましくは、前記の複合装置において、前記の入力インタフェース装置と前記のチューナは、例えば、セットトップボックスを形成するために、共通の筐体の中に配置される。
【００２６】
【発明の実施の形態】
以下に、添付の図面を参照して、本発明の実施の形態について説明する。図面を通して、同一の符号は同一の構成要素を示す。
図４に示される入力インタフェース装置は、入力端子３９に接続された低雑音増幅器４０を備える。入力端子３９は、例えば図２に示されるようなダイプレクサの出力端子に接続される。増幅器４０は、利得を供給し、例えば、ダイプレクサを経由してケーブル配線網から供給される広帯域無線周波数入力信号を受信するために適切な雑音指数と信号処理性能とを有する。
【００２７】
増幅器４０の出力は、例えば図示されるように、４つの出力端子を有する能動電力分割器４１の入力端子に供給される。それら４つの出力端子の各々は、その特性が実質的に入力信号に一致する出力信号を供給する。例えば、各々の出力端子の出力インピーダンスは、実質的に、電力分割器４１の入力端子の入力インピーダンスと同じであってよい。また、その入力端子から電力分割器４１の各々の出力端子までの各々の経路は、かなり広帯域の周波数に渡って、実質的にフラットな周波数応答を有する。電力分割器４１は能動的であり、図２に示される既知の種類の電力分割器に必要とされる電磁素子等のリアクタンス素子を全く必要としない。従って、電力分割器４１は、入力信号パワーを、効果的に、例えば、実質的に等しく、出力端子に分割する。
【００２８】
電力分割器４１の各々の出力端子は、各々のチャネルの入力端子に接続される。ここでは、１つのチャネル４２だけが説明され、図４の実施の形態における他のチャネルは実質的に同一である。しかし、それらの出力チャネルは、同一である必要はなく、例えば、異なる出力インピーダンス、異なる自動利得制御特性を有してもよく、または、固定利得を有してもよい。チャネル４２は、その入力端子が電力分割器４１の各々の出力端子に接続される自動利得制御（ＡＧＣ）回路４３を備える。ＡＧＣ回路４３は、利得制御入力端子４４を有する。その利得制御入力端子４４は、例えば、インタフェース装置２内の制御信号生成回路に接続されてもよく、チャネル４２が接続されるチューナ７内の回路等に接続されてもよい。ＡＧＣ回路４３の出力端子は、バッファ４５の入力端子に接続される。バッファ４５は、チューナ７の入力端子に接続するために平衡出力端子または差動出力端子１７を提供する。バッファ４５は、適切な出力インピーダンスを提供してよく、利得を有しても有しなくてもよい。
【００２９】
図５は、チューナ７に接続される図４のインタフェース装置２を示す。チューナ７は二重変換型であり、図３に示されるチューナと同様である。しかし、図５のチューナは、図３のＡＧＣ回路２１の機能が図４に示されるインタフェース装置内に提供されるためにＡＧＣ回路２１が省略されるという点で、図３に示されるチューナと異なる。また、第１の周波数変換器２２の混合器２３は、インタフェース装置２の差動出力によって利益を得るために、差動入力端子を有する種類である。例えば、混合器２３は、二重平衡変調器であってよい。
【００３０】
図４に示されるインタフェース装置２の全ての構成要素は、単一の集積回路内に形成できる。それ故、費用が削減された非常に小型のフロントエンドを提供することが可能である。ＡＧＣ回路４３は、インタフェース装置２において、信号を差動信号または平衡信号に変換するバッファ４５の前段で容易に実行される。これは、インタフェース装置２と、チューナ７等の各々のチューナとの間の接続が、平衡状態になることを可能にし、また、利得が変化するにつれて振幅および位相平衡を維持する差動ＡＧＣ回路を備えなければならなかったという問題をも排除する。チューナへの差動信号接続は、結果として、相互変調特性、および、擬似雑音信号のコモンモード除去を改善する。
【００３１】
電力分割器にリアクタンス素子などの受動素子を使ったものであれば、各素子間で絶縁レベルが問題となったが、図４に示した構成では、電力分割器に能動素子を採用したので、そのような問題は回避され、出力端子間の絶縁を改善する。また、その利得制御レンジを調整して零利得まで拡張することによって絶縁スイッチとして機能しうるＡＧＣ回路４３を提供することは比較的容易である。従って、チューナが、マルチプレクサを経由して、インタフェース装置の出力端子に接続され、さらなる信号源が、例えば復調デジタルビデオチャネルから、チューナの入力端子に接続されることが可能になる時、ＡＧＣ回路利得を最小利得設定に切り換えることによって、インタフェース装置からの信号を効果的に無効にできる。従って、無線周波数リレーの必要性およびそのコストを排除できる。
【００３２】
図６は、複数（この場合では２つ）の入力信号のうち任意の信号を任意の出力に切り換えることが可能な別のインタフェース装置を示す。図６のインタフェース装置は、単一の差動入力端子３９が、２つの差動入力端子３９ａおよび差動入力端子３９ｂによって置き換えられ、単一ＬＮＡ４０が、２つのＬＮＡ４０ａおよびＬＮＡ４０ｂによって置き換えられ、単一電力分割器４１が、２つの電力分割器４１ａおよび電力分割器４１ｂによって置き換えられ、各々のチャネル４２が、電力分割器４１ａおよび電力分割器４１ｂと、ＡＧＣ制御回路４３との間にマルチプレクサ（ＭＰＸ）４６を有する点で、図４に示されるインタフェース装置と異なる。ＬＮＡ４０ａおよびＬＮＡ４０ｂは、実質的に、ＬＮＡ４０と同一であり、電力分割器４１ａおよび電力分割器４１ｂは、実質的に、電力分割器４１と同一である。
【００３３】
マルチプレクサ４６は、電力分割器４１ａの出力端子および電力分割器４１ｂの出力端子にそれぞれ接続される第１の入力端子および第２の入力端子を有する。また、マルチプレクサ４６は、マルチプレクサ４６の出力端子にどちらの入力が接続されるかを選択する制御入力端子４７を有する。従って、各々のチャネルは、他のチャネルから独立して、マルチプレクサ４６の制御入力端子４７に供給される制御信号に従って、その出力端子に、入力信号のうちの任意の信号を供給できる。
【００３４】
【発明の効果】
本発明により、インタフェース装置を非常に小型にすることができる。また、そのほとんどまたは全てを１つの集積回路として形成できるインタフェース装置を提供することができる。電磁電力分割器は必要とされないので、体積、費用、および、製造中に調整する必要性が排除できる。出力端子間のかなり高いレベルの絶縁が提供でき、インタフェース装置を介する各々の広帯域経路は、容易に、非常に小さいリプルまたは利得／減衰変化を有する通過帯域を提供できる。本発明によるインタフェース装置は、非常に小型に作られ、そのコストは、既知の構成よりもずっと低くできる。
【００３５】
また、本発明により、チューナの性能を改善することができる。特に、例えば第１の二重平衡変調器を備える適切に設計されたチューナに接続される差動出力を使用することによって、歪み性能を実質的に改善でき、特に、相互変調生成を実質的に低減できる。
【００３６】
本発明により、チューナは簡素化され、設計作業および費用を節約できる。差動ＡＧＣ回路または平衡ＡＧＣ回路は、設計が困難であり、一般的に、性能が低い。差動出力バッファの前にＡＧＣ回路を設置することにより、上述のように、差動信号をチューナに供給する利益を享受する一方、ＡＧＣ機能が実行できる。また、チューナに対する差動入力供給または「平衡」入力供給は、結果として、そうでなければチューナ入力に結合される擬似「雑音」信号のコモンモード拒否につながる。
【図面の簡単な説明】
【図１】  従来のセットトップボックスのブロック図。
【図２】  セットトップボックスの従来のフロントエンドインタフェース装置のブロック図。
【図３】  従来の二重変換チューナのブロック図。
【図４】  本発明による実施の形態を構成する無線インタフェース装置のブロック図。
【図５】  変形のチューナに接続され、本発明の実施の形態を構成するセットトップボックスを提供する図４のインタフェース装置のブロック図。
【図６】  本発明による別の実施の形態を構成する無線インタフェース装置のブロック図。
【符号の説明】
２  インタフェース装置
７  チューナ
１７  出力端子
２２、２７  周波数変換器
２３、２８  混合器
２４、２９  局部発振器
２５、３０  位相同期ループ（ＰＬＬ）合成器
２６、３１  フィルタ
３２  増幅器
３３  ＩＦ出力端子
３９  入力端子
４０  低雑音増幅器
４１  電力分割器
４２  チャネル
４３  自動利得制御（ＡＧＣ）回路
４４  利得制御入力端子
４５  バッファ
【図１】
0003955232.tif 000002
【図２】
0003955232.tif 000003
【図３】
0003955232.tif 000004
【図４】
0003955232.tif 000005
【図５】
0003955232.tif 000006
【図６】
0003955232.tif 000007